(57)【要約】【課題】簡単な入力方法で漢字を検索して表示できる漢字表示装置及び漢字表示制御プログラムを提供すること。【解決手段】ＣＰＵ１１は、辞書制御プログラム１２ａに従って、漢字の各部分の位置に対応づけて部品を入力する部品入力欄１７３Ａ〜１７３Ｅを表示する漢字入力画面１７１を表示部１７に表示させ、入力部１６の操作によって指定された部品入力欄１７３Ａ〜１７３Ｅの何れかに、入力部１６の操作によって複数の部品のうちの何れかの部品の入力を受け、その入力された部品とその入力された部品入力欄とに基づいて、部品とその部品の位置と漢字とを対応づけて登録した四隅漢字データベース１２ｄを検索して該当する漢字を上記漢字入力画面１７１に表示する。【選択図】      図１
2007272711.tif 000002
【特許請求の範囲】
【請求項１】
漢字の各部分の位置に対応づけて部品を入力する部品入力欄を表示する漢字入力画面表示手段と、
この漢字入力画面表示手段に表示された何れかの部品入力欄を指定する部品入力欄指定手段と、
この部品入力欄指定手段によって指定された部品入力欄に複数の部品のうちの何れかの部品を入力する部品入力手段と、
部品とその部品の位置と漢字とを対応づけて登録した漢字データベースと、
上記部品入力手段によって入力された部品とその入力された部品入力欄とに基づいて上記漢字データベースを検索して該当する漢字を表示する該当漢字表示手段と、
を具備することを特徴とする漢字表示装置。
【請求項２】
上記部品入力欄が表示される漢字の各部分の位置は、漢字の四隅であることを特徴とする請求項１に記載の漢字表示装置。
【請求項３】
上記部品入力欄が表示される漢字の各部分の位置は、漢字の四隅と中段であることを特徴とする請求項１に記載の漢字表示装置。
【請求項４】
上記部品入力欄に、上記部品入力手段によって入力された部品を示す数字を表示する入力部品表示手段を更に具備することを特徴とする請求項１に記載の漢字表示装置。
【請求項５】
上記部品入力欄に、上記部品入力手段によって入力された部品の形状を表示する入力部品表示手段を更に具備することを特徴とする請求項１に記載の漢字表示装置。
【請求項６】
上記漢字データベースは、上記漢字の各部分の位置における部品の組み合わせに対応させて漢字を登録しており、
上記該当漢字表示手段は、各部品入力欄に入力された部品の組み合わせに基づいて上記漢字データベースを検索して該当する漢字を表示することを特徴とする請求項１に記載の漢字表示装置。
【請求項７】
上記該当漢字表示手段は、
検索された複数の漢字を候補漢字として一覧表示する一覧表示手段と、
この一覧表示手段によって表示された複数の候補漢字のうちの１つを拡大表示する拡大表示手段と、
を含むことを特徴とする請求項１に記載の漢字表示装置。
【請求項８】
上記一覧表示手段によって表示された複数の候補漢字のうちの１つを選択するための選択手段を更に具備し、
上記拡大表示手段は、この選択手段で選択された候補漢字を拡大表示することを特徴とする請求項７に記載の漢字表示装置。
【請求項９】
上記部品入力手段は、キーボードパネルに配置された数字入力用のキーを含むことを特徴とする請求項１に記載の漢字表示装置。
【請求項１０】
上記キーボードパネルにおける上記数字入力用のキーには、対応する部品の形状が呈示されていることを特徴とする請求項９に記載の漢字表示装置。
【請求項１１】
漢字を表示するための漢字表示装置のコンピュータを制御するための漢字表示制御プログラムであって、
上記コンピュータを、
漢字の各部分の位置に対応づけて部品を入力する部品入力欄を表示する漢字入力画面表示手段、
この漢字入力画面表示手段に表示された何れかの部品入力欄を指定する部品入力欄指定手段、
この部品入力欄指定手段によって指定された部品入力欄に複数の部品のうちの何れかの部品を入力する部品入力手段、
上記部品入力手段によって入力された部品とその入力された部品入力欄とに基づいて、部品とその部品の位置と漢字とを対応づけて登録した漢字データベースを検索して、該当する漢字を表示する該当漢字表示手段、
として機能させるようにしたコンピュータ読み込み可能な漢字表示制御プログラム。
【発明の詳細な説明】
【技術分野】
【０００１】
本発明は、漢字を検索して表示する漢字表示装置、及びコンピュータをそのような漢字表示装置として機能させるためのコンピュータ読み込み可能な漢字表示制御プログラムに関する。
【背景技術】
【０００２】
従来から、国語辞典，漢和辞典，英和辞典，百科事典などの各種の辞典や辞書を電子データ化してＲＯＭなどの記憶媒体に格納し、これに基づき各種の言語や語句を検索文字として入力し、その訳語や説明情報、例文などを検索して表示するようにした電子辞書装置が広く汎用されている。
【０００３】
そして、このような電子辞書装置において、検索文字を入力する際、漢字をあまり知らない人でも簡単に入力ができ、手間をかけずに求める漢字を迅速に表示できるように、漢字の音訓、部首、画数等の情報によって表示手段上に呼出す漢字の検索方法が広く用いられている。
【０００４】
また、特許文献１には、更に、１つの漢字を構成する複数の構成漢字の読みを入力してその漢字の候補を指定し、求める漢字を検索する漢字の検索方法が開示されている。これは、例えば、「馨」という漢字を入力する際、この漢字は「声」、「士」、「又」、「香」、「日」等の複数の構成漢字から成るので、「こえ」、「せい」、「し」、「また」、「こう」、「かおり」、「ひ」、「にち」等の各構成漢字の読みで構成漢字名を入力して、所望の漢字を検索するというものである。
【特許文献１】特開平０５−２８２２９４号公報
【発明の開示】
【発明が解決しようとする課題】
【０００５】
上記特許文献１に開示の手法を含む従来の漢字の検索方法では、部首や構成漢字名で入力する必要があり、煩雑であった。
【０００６】
本発明は、このような課題に鑑みなされたもので、簡単な入力方法で漢字を検索して表示できる漢字表示装置及び漢字表示制御プログラムを提供することを目的とする。
【課題を解決するための手段】
【０００７】
請求項１に記載の漢字表示装置は、漢字の各部分の位置に対応づけて部品を入力する部品入力欄を表示する漢字入力画面表示手段と、この漢字入力画面表示手段に表示された何れかの部品入力欄を指定する部品入力欄指定手段と、この部品入力欄指定手段によって指定された部品入力欄に複数の部品のうちの何れかの部品を入力する部品入力手段と、部品とその部品の位置と漢字とを対応づけて登録した漢字データベースと、上記部品入力手段によって入力された部品とその入力された部品入力欄とに基づいて上記漢字データベースを検索して該当する漢字を表示する該当漢字表示手段と、を具備することを特徴とする。
【０００８】
請求項２に記載の漢字表示装置は、上記請求項１に記載の漢字表示装置において、上記部品入力欄が表示される漢字の各部分の位置は、漢字の四隅であることを特徴とする。
【０００９】
請求項３に記載の漢字表示装置は、上記請求項１に記載の漢字表示装置において、上記部品入力欄が表示される漢字の各部分の位置は、漢字の四隅と中段であることを特徴とする。
【００１０】
請求項４に記載の漢字表示装置は、上記請求項１に記載の漢字表示装置において、上記部品入力欄に、上記部品入力手段によって入力された部品を示す数字を表示する入力部品表示手段を更に具備することを特徴とする。
【００１１】
請求項５に記載の漢字表示装置は、上記請求項１に記載の漢字表示装置において、上記部品入力欄に、上記部品入力手段によって入力された部品の形状を表示する入力部品表示手段を更に具備することを特徴とする。
【００１２】
請求項６に記載の漢字表示装置は、上記請求項１に記載の漢字表示装置において、上記漢字データベースは、上記漢字の各部分の位置における部品の組み合わせに対応させて漢字を登録しており、上記該当漢字表示手段は、各部品入力欄に入力された部品の組み合わせに基づいて上記漢字データベースを検索して該当する漢字を表示することを特徴とする。
【００１３】
請求項７に記載の漢字表示装置は、上記請求項１に記載の漢字表示装置において、上記該当漢字表示手段は、検索された複数の漢字を候補漢字として一覧表示する一覧表示手段と、この一覧表示手段によって表示された複数の候補漢字のうちの１つを拡大表示する拡大表示手段と、を含むことを特徴とする。
【００１４】
請求項８に記載の漢字表示装置は、上記請求項７に記載の漢字表示装置において、上記一覧表示手段によって表示された複数の候補漢字のうちの１つを選択するための選択手段を更に具備し、上記拡大表示手段は、この選択手段で選択された候補漢字を拡大表示することを特徴とする。
【００１５】
請求項９に記載の漢字表示装置は、上記請求項１に記載の漢字表示装置において、上記部品入力手段は、キーボードパネルに配置された数字入力用のキーを含むことを特徴とする。
【００１６】
請求項１０に記載の漢字表示装置は、上記請求項９に記載の漢字表示装置において、上記キーボードパネルにおける上記数字入力用のキーには、対応する部品の形状が呈示されていることを特徴とする。
【００１７】
請求項１１に記載の漢字表示制御プログラムは、漢字を表示するための漢字表示装置のコンピュータを制御するための漢字表示制御プログラムであって、上記コンピュータを、  漢字の各部分の位置に対応づけて部品を入力する部品入力欄を表示する漢字入力画面表示手段、この漢字入力画面表示手段に表示された何れかの部品入力欄を指定する部品入力欄指定手段、この部品入力欄指定手段によって指定された部品入力欄に複数の部品のうちの何れかの部品を入力する部品入力手段、上記部品入力手段によって入力された部品とその入力された部品入力欄とに基づいて、部品とその部品の位置と漢字とを対応づけて登録した漢字データベースを検索して、該当する漢字を表示する該当漢字表示手段、として機能させることを特徴とする。
【発明の効果】
【００１８】
本発明の請求項１（請求項１１）に記載の漢字表示装置（漢字表示制御プログラム）によれば、漢字を構成する構成漢字ではなく、例えば横棒や縦棒といった漢字を構成する部品をその位置と共に直接画面で指定して入力するので、漢字を簡単に表示して入力することができる。
【００１９】
請求項２に記載の漢字表示装置によれば、上記請求項１に記載の漢字表示装置において、漢字の四隅の何れかから見た形状を入力すれば良いので、判りやすい。
【００２０】
請求項３に記載の漢字表示装置によれば、上記請求項１に記載の漢字表示装置において、漢字の四隅と中段の何れかから見た形状を入力すれば良いので、判りやすい。
【００２１】
請求項４に記載の漢字表示装置によれば、上記請求項１に記載の漢字表示装置において、入力された部品を示す数字が部品入力欄に表示されるので、どのような部品を入力したのか確認できる。
【００２２】
請求項５に記載の漢字表示装置によれば、上記請求項１に記載の漢字表示装置において、入力された部品の形状が部品入力欄に表示されるので、入力間違いに気づきやすく、誤っていた場合に直ぐに入力訂正できる。
【００２３】
請求項６に記載の漢字表示装置によれば、上記請求項１に記載の漢字表示装置において、各部品入力欄に入力された部品の組み合わせに基づいて漢字データベースを検索して該当する漢字を表示するので、異なる部品入力欄に順次部品を入力していくことで、絞り込み検索が可能となる。
【００２４】
請求項７に記載の漢字表示装置によれば、上記請求項１に記載の漢字表示装置において、検索された複数の漢字を候補漢字として一覧表示し、そのうちの１つを拡大表示するので、複数の漢字候補から所望の漢字を見つけやすい。
【００２５】
請求項８に記載の漢字表示装置は、上記請求項７に記載の漢字表示装置において、複数の候補漢字のうちの１つを選択して拡大表示することができる。
【００２６】
請求項９に記載の漢字表示装置によれば、上記請求項１に記載の漢字表示装置において、数字入力用のキーを用いるので、簡単に入力することができる。
【００２７】
請求項１０に記載の漢字表示装置によれば、上記請求項９に記載の漢字表示装置において、上記数字入力用のキーには、対応する部品の形状が呈示されているので、入力しようとするキーを容易に選定できる。
【００２８】
よって本発明によれば、簡単な入力方法で漢字を検索して表示できる漢字表示装置及び漢字表示制御プログラムを提供できる。
【発明を実施するための最良の形態】
【００２９】
以下、図面により本発明の実施の形態について説明する。
【００３０】
［第１実施形態］
図１（Ａ）は、本発明の第１実施形態に係る漢字表示装置を適用した携帯機器（電子辞書）１０の電子回路の構成を示すブロック図である。
【００３１】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。
【００３２】
この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００３３】
ＣＰＵ１１は、メモリ１２内に予め記憶された装置制御プログラム、あるいはＲＯＭカードなどの外部記憶媒体１３から記憶媒体読取部１４を介して上記メモリ１２に読み込まれた装置制御プログラム、あるいはインターネット上のＷｅｂサーバ（この場合はプログラムサーバ）から通信部１５を介して上記メモリ１２に読み込まれた装置制御プログラムに応じて、回路各部の動作を制御するもので、上記メモリ１２に記憶された装置制御プログラムは、キーやタッチパネルからなる入力部１６からのユーザ操作に応じた入力信号、あるいは通信部１５を介して接続されるインターネット上の各Ｗｅｂサーバとの通信信号、あるいは記憶媒体読取部１４を介して外部接続されるＥＥＰＲＯＭ，ＲＡＭ，ＲＯＭなどのメモリカード（外部記憶媒体１３）との接続通信信号に応じて起動される。
【００３４】
上記ＣＰＵ１１には、上記メモリ１２、記憶媒体読取部１４、通信部１５、入力部１６が接続される他に、ＬＣＤからなる表示部１７などが接続される。
【００３５】
メモリ１２には、当該携帯機器（電子辞書）１０の全体の動作を司るシステムプログラムや通信部１５を介してインターネット上の各Ｗｅｂサーバとデータ通信するための通信プログラムが記憶される他に、必要な辞書データを辞書管理用のＷｅｂサーバやメモリカード（記憶媒体）からダウンロードしたり、辞書データメモリ（１２ｂ）に基づき検索語入力に応じた見出語の訳語や意味内容などの各種説明情報を検索表示したり、またその検索見出語の使用例文を検索表示したりするための辞書制御プログラム１２ａが記憶される。
【００３６】
また、このメモリ１２には、辞書データメモリ１２ｂ、検索語データメモリ１２ｃ、四隅漢字データベース１２ｄ、ワークエリア１２ｅなどが用意される。
【００３７】
辞書データメモリ１２ｂには、国語辞典，漢和辞典，英和辞典，英英辞典，和英辞典、日中辞典など、種類の異なる多数の辞書データベースが予め、あるいはダウンロードされて複数記憶される。
【００３８】
検索語データメモリ１２ｃには、辞書データメモリ１２ｂの検索処理に伴い検索対象の言語・語句としてユーザ入力された単語などが検索語として記憶される。
【００３９】
四隅漢字データベース１２ｄは、図２に示すように、左上、右上、左下、右下から漢字の部品を見た形状を番号化した部品番号を左上、右上、左下、右下、右中段の順で並べて成る四隅漢字コードと、該四隅漢字コードに対応する漢字とをデータベース化したものである。ここで、“０００００”は“亠”、“００１０”は“主”，“童”，“立”，“亶”，“壅”，“鏖”，“韲”、“００１０１”は“韲”、“００１０４”は“主”，“壅”，“童”、…のように、同一の四隅漢字コードに複数の漢字が対応し、また、１つの漢字に複数の四隅漢字コードが対応するものとなっている。
【００４０】
ワークエリア１２ｅには、上記辞書制御プログラム１２ａなどの各種の装置制御プログラムに従いＣＰＵ１１に入出力される種々のデータが必要に応じて記憶されるもので、例えば、ユーザによって入力された部品番号や、例文検索処理に伴い検索された複数の例文が記憶される。
【００４１】
入力部１６のキーボードパネルには、図３（Ａ）に示すように、ひらがな，カタカナ，漢字，英数字を任意入力するための一連の文字入力キー１６Ａ、検索に使用する辞書を指定するための辞書選択キー１６Ｂ、各種機能を選択するための機能キー１６Ｃ、カーソル移動用のカーソルキー１６Ｄ、辞書データメモリ１２ｂに記憶されている指定の辞書を対象にして入力検索語に対応する見出語及びその説明情報の検索を行うための決定キー１６Ｅ、１つ前の状態に戻ることを指示するための戻るキー１６Ｆなどが備えられる。
【００４２】
そして、本実施形態においては、上記文字入力キー１６Ａの内、通常は１，２，…，９，０を入力するのに用いるキーそれぞれに、１つ又は２つの漢字部品が割り当てられている。即ち、“１”には漢字部品“─”が、“２”には漢字部品“│”と“ノ”とが、“３”には漢字部品“丶”が、“４”には漢字部品“十”が、“５”には漢字部品“キ”が、“６”には漢字部品“口”が、“７”には漢字部品“「”と“」”とが、“８”には漢字部品“八”が、“９”には漢字部品“小”が、“０”には漢字部品“亠”が、それぞれ割り当てられている。この数字キーの数字は、上記四隅漢字データベース１２ｄにおける部品番号と対応している。
【００４３】
本実施形態においては、このような数字キー入力によって簡単に漢字部品を指定入力できるようになっている。
【００４４】
上記携帯機器（電子辞書）１０において、このような入力部１６のキーボードパネルを用いた漢字表示機能を実現するために、メモリ１２に記憶された辞書制御プログラム１２ａの例を、以下に説明する。なお、ここでは、中日辞書検索処理の中で利用する場合を例に説明するが、当然、国語辞書検索処理や漢和辞書検索処理等、他の処理の中でも同様に利用可能なことは勿論である。
【００４５】
図４（Ａ）は、辞書制御プログラム１２ａにおける中日辞書検索処理を説明するためのフローチャートを示す図である。
【００４６】
即ち、入力部１６の辞書選択キー１６Ｂの操作により中日辞書の検索が指定されると、詳細は後述するようなユーザによる漢字入力を受け付ける漢字検索処理を実施し（ステップＳ１）、決定した漢字を、検索対象の言語・語句（検索語）として、検索語データメモリ１２ｃの検索文字列エリアに入力する（ステップＳ２）。そして、入力部１６の決定キー１６Ｅのユーザ操作に応じて、その検索文字で、メモリ１２の辞書データメモリ１２ｂにおける中日辞書の検索を行い、検索された見出語の一覧を表示部１７に表示する（ステップＳ３）。その後、ユーザによって、入力部１６のカーソルキー１６Ｄの操作によってユーザ所望の見出語の選択が行われ、決定キー１６Ｅの操作に応じて、その指定の見出語の説明情報を表示部１７に全画面表示する（ステップＳ４）。上記ステップＳ３の見出語検索処理及びステップＳ４の説明情報の表示処理は、従来と同様の処理であるので、その詳細な説明は省略する。
【００４７】
図４（Ｂ）は、上記ステップＳ１で実行される漢字検索処理を説明するためのフローチャートを示す図である。
【００４８】
即ち、まず、ユーザによる漢字検索方法の指定を受け付ける（ステップＳ１１）。例えば、表示部１７に複数の検索方法を一覧表示し、ユーザによる入力部１６のカーソルキー１６Ｄ及び決定キー１６Ｅの操作に応じて指定が行われる。そして、その指定された漢字検索方法が四隅部品漢字検索であるのか否かを判別する（ステップＳ１２）。ここで、四隅部品漢字検索が指定されていなければ、他の漢字検索処理を実施する（ステップＳ１３）。これは、例えば総画数検索処理、読み検索処理、部首検索処理、等であり、これらは従来と同様の処理であるので、その詳細な説明は省略する。これに対して、上記ステップＳ１２において、四隅部品漢字検索が指定されていると判別した場合には、詳細は後述するような四隅部品漢字検索処理を実行する（ステップＳ１４）。そして、上記ステップＳ１３又はステップＳ１４の漢字検索処理で検索された漢字を、ユーザ所望の漢字として決定する（ステップＳ１５）。この決定された漢字が、上記ステップＳ２において、検索語として検索語データメモリ１２ｃの検索文字列エリアに入力されることになる。
【００４９】
図５は、上記ステップＳ１４で実行される四隅部品漢字検索処理を説明するためのフローチャートを示す図である。
【００５０】
この四隅部品漢字検索処理においては、まず、表示部１７に、漢字入力画面を表示し、左上の部品入力欄にカーソルを表示する（ステップＳ１４０１）。図１（Ｂ）は、この漢字入力画面１７１を示す図である。この漢字入力画面１７１は、上下２段に別れており、上段に、検索された漢字を表示する漢字エリア１７２が配され、該漢字エリア１７２に対して左上、右上、左下、右下、及び右中段に、上記入力部１６の漢字部品入力用の数字キーによって部品番号を入力するための部品入力欄１７３Ａ、１７３Ｂ、１７３Ｃ、１７３Ｄ、１７３Ｅが配されている。また、決定した検索文字列を表示するための決定文字エリア１７４が配されている。漢字入力画面１７１の下段は、検索された漢字候補の一覧を表示する候補エリア１７５となっている。なお、上記部品入力欄１７３Ａ〜１７３Ｄの何れが現在の入力位置であるかを示すためにカーソル１７６が表示されるようになっており、上記ステップＳ１４０１では、このカーソル１７６を左上の部品入力欄１７３Ａに表示するものである。
【００５１】
次に、入力部１６のカーソルキー１６Ｄが操作されたか否かを判別する（ステップＳ１４０２）。ここで、カーソルキー１６Ｄが操作された場合には、その操作されたカーソル方向の部品入力欄にカーソル１７６の表示を移動して（ステップＳ１４０３）、上記ステップＳ１４０２に戻る。なお、カーソル１７６の移動位置は、メモリ１２のワークエリア１２ｅ等に保存される。
【００５２】
また、上記ステップＳ１４０２でカーソルキー１６Ｄが操作されていないと判別した場合には、入力部１６の文字入力キー１６Ａの内の数字キーが操作されたか否かを判別する（ステップＳ１４０４）。ここで、何れかの数字キーが操作された場合には、カーソル１７６を表示している部品入力欄に、その操作された数字キーの数字を部品番号として入力表示して（ステップＳ１４０５）、上記ステップＳ１４０２に戻る。なお、入力された部品番号は、メモリ１２のワークエリア１２ｅ等に保存される。
【００５３】
また、上記ステップＳ１４０４で数字キーが操作されていないと判別した場合には、入力部１６の決定キー１６Ｅが操作されたか否かを判別する（ステップＳ１４０６）。ここで、この決定キー１６Ｅも操作されていないと判別した場合には、他の処理へと進む。なお、この他の処理とは、例えばこの四隅部品漢字検索処理の終了や別の辞書検索処理の実行の指示を判別して、この四隅部品漢字検索処理を終了するという処理や、数字キー以外の文字入力キー１６Ａの操作に応じて、何もせずに或いはエラー報知して、上記ステップＳ１４０２に戻るような処理も含む。
【００５４】
一方、上記ステップＳ１４０６において決定キー１６Ｅが操作されたと判別した場合には、メモリ１２のワークエリア１２ｅ等に保存されている各部品入力欄の部品番号を、左上の部品入力欄１７３Ａ、右上の部品入力欄１７３Ｂ、左下の部品入力欄１７３Ｃ、右下の部品入力欄１７３Ｄ、右中段の部品入力欄１７３Ｅの順に読み出して、検索数字に設定してメモリ１２のワークエリア１２ｅ等に保存する（ステップＳ１４０７）。なおこの場合、ブランクの部品入力欄に関しては、１文字ワイルドカード“？”を用いるものとする。そしてその後、上記設定された検索文字に対応する四隅漢字コードを持つ漢字をメモリ１２の四隅漢字データベース１２ｄから検索してメモリ１２のワークエリア１２ｅ等に読み出し、その読み出された漢字を漢字候補として漢字入力画面１７１の下段の候補エリア１７５に一覧表示する（ステップＳ１４０８）。例えば、左上の部品入力欄１７３Ａにのみ漢字部品“亠”に相当する“０”を入力して決定キー１６Ｅを操作すると、図６に示すように、“０？？？？”の四隅漢字コードを持った漢字“亠”，“主”，“童”，“立”，…が漢字候補として候補エリア１７５に一覧表示される。なおこのとき、その一覧表示した漢字候補のうちの先頭の漢字、この例では“亠”、を反転カーソル１７７で指定表示し、その指定された漢字を上段の漢字エリア１７２に拡大表示する（反転カーソル１７７の位置はメモリ１２のワークエリア１２ｅ等に保存される）。
【００５５】
その後、入力部１６のカーソルキー１６Ｄが操作されたか否かを判別する（ステップＳ１４０９）。ここで、カーソルキー１６Ｄが操作されていないと判別した場合には、入力部１６の文字入力キー１６Ａの内の決定キー１６Ｅが操作されたか否かを判別する（ステップＳ１４１０）。この決定キー１６Ｅも操作されていないと判別した場合には、更に、入力部１６の戻るキー１６Ｆが操作されたか否かを判別する（ステップＳ１４１１）。
【００５６】
そして、この戻るキー１６Ｆも操作されていないと判別した場合には、他の処理へと進む。なお、この他の処理とは、例えばこの四隅部品漢字検索処理の終了や別の辞書検索処理の実行の指示を判別して、この四隅部品漢字検索処理を終了するという処理や、数字キー以外の文字入力キー１６Ａの操作に応じて、何もせずに或いはエラー報知して、上記ステップＳ１４０９に戻るような処理も含む。
【００５７】
上記ステップＳ１４１１において、戻るキー１６Ｆが操作されたと判別した場合には、上記ステップＳ１４０２に戻る。
【００５８】
また、上記ステップＳ１４０９において、カーソルキー１６Ｄが操作されたと判別した場合には、漢字入力画面１７１下段の候補エリア１７５に一覧表示された漢字候補における反転カーソル１７７による指定表示を、その操作されたカーソルキー方向の漢字候補に変更して、その指定された漢字候補を上段の漢字エリア１７２に拡大表示した後（ステップＳ１４１２）、上記ステップＳ１４０９に戻る。なお、反転カーソル１７７の移動位置は、メモリ１２のワークエリア１２ｅ等に更新保存される。
【００５９】
そして、上記ステップＳ１４１０において、決定キー１６Ｅが操作されたと判別した場合には、漢字エリア１７２に拡大表示している漢字候補がユーザ所望の漢字であるとして検索対象に決定し、漢字入力画面１７１の上段の決定文字エリア１７４にその漢字を表示して（ステップＳ１４１３）、上位のルーチンに戻る。
【００６０】
例えば図６に示すような漢字入力画面１７１において、戻るキー１６Ｆが操作され、更に右方向のカーソルキー１６Ｄが操作されると、図７に示すように、カーソル１７６は右上の部品入力欄１７３Ｂに移動表示される。このとき、左上の部品入力欄１７３Ａには、入力された“０”が維持される。また、候補エリア１７５の漢字後方の一覧表示及び反転カーソル１７７、並びに漢字エリア１７２の指定漢字候補の拡大表示は、それぞれクリアされる。
【００６１】
而して、処理動作は上記ステップＳ１４０２に戻るので、上述の左上の部品入力欄１７３Ａの場合と同様にして、右上の部品入力欄１７３Ｂに部品番号を入力することができる。例えば、ここで該右上の部品入力欄１７３Ｂに漢字部品“─”に相当する“１”を入力して決定キー１６Ｅを操作すると、図８に示すように、“０１？？？”の四隅漢字コードを持った漢字“壟”，“竰”，“聾”，…が漢字候補として候補エリア１７５に一覧表示され、そのうちの先頭の漢字“壟”が漢字エリア１７２に拡大表示されることとなる。
【００６２】
更に、同様にして、左下の部品入力欄１７３Ｃにカーソル１７６を移動して、漢字部品“口”に相当する“６”を入力して決定キー１６Ｅを操作すると、図９に示すように、“０１６？？”の四隅漢字コードを持った漢字“証”，“誹”，“訌”，…が漢字候補として候補エリア１７５に一覧表示され、そのうちの先頭の漢字“証”が漢字エリア１７２に拡大表示されることとなる。
【００６３】
更に、右下の部品入力欄１７３Ｄにカーソル１７６を移動して、漢字部品“口”に相当する“６”を入力して決定キー１６Ｅを操作すると、図１０に示すように、“０１６６？”の四隅漢字コードを持った漢字“詣”，“語”，“諧”が漢字候補として候補エリア１７５に一覧表示され、そのうちの先頭の漢字“詣”が漢字エリア１７２に拡大表示されることとなる。
【００６４】
このように、各部品入力欄１７３Ａ〜１７３Ｅに部品を入力指定していくことで、漢字候補を徐々に絞り込むことができる。
【００６５】
そして、カーソルキー１６Ｄの操作により、図１１に示すように反転カーソル１７７を移動すると、その新たに指定された漢字候補が、漢字入力画面１７１の上段の漢字エリア１７２に拡大表示される。こうして所望の漢字が漢字エリア１７２に表示されたとき、ユーザは入力部１６の決定キー１６Ｅを操作する。これにより、図１２に示すように、そのとき漢字エリア１７２に拡大表示されていた漢字が、決定文字エリア１７４に入力される。
【００６６】
こうして、ユーザ所望の漢字を表示した後、入力部１６の決定キー１６Ｅを操作すれば、その漢字が検索語として、メモリ１２の辞書データメモリ１２ｂにおける中日辞書の検索が行われて見出語の一覧が表示部１７に表示される。そして、ユーザ所望の見出語を選択して決定キー１６Ｅを操作すれば、図１３に示すように、その指定の見出語の説明情報が表示部１７に説明情報画面１７８として全画面表示されることとなる。
【００６７】
なお、上記説明では、左上、右上、左下、及び右下の部品入力欄１７３Ａ〜１７３Ｄに入力した段階で漢字の絞り込みを終了したが、これら４つの部品入力欄１７３Ａ〜１７３Ｄへの入力だけでは未だ漢字が絞り込めないときには、更に右中段の部品入力欄１７３Ｅに、所望漢字の右下すぐ上の漢字形状の部品番号を入力すれば、漢字を絞り込めることは言うまでもない。
【００６８】
例えば、図１４に示すように、左上の部品入力欄１７３Ａに漢字部品“─”に相当する“１”を、右上の部品入力欄１７３Ｂに漢字部品“「”及び“」”に相当する“７”を、左下の部品入力欄１７３Ｃに漢字部品“十”に相当する“４”を、右下の部品入力欄１７３Ｄに漢字部品“亠”に相当する“０”を、それぞれ入力して決定キー１６Ｅを操作することで、“１７４０？”の四隅漢字コードを持つ漢字をメモリ１２の四隅漢字データベース１２ｄから検索すると、漢字“叉”，“子”，“翠”，…，“翆”が漢字候補として候補エリア１７５に一覧表示され、そのうちの先頭の漢字“叉”が漢字エリア１７２に拡大表示される。
【００６９】
このように４つの漢字部品を入力しても所望の漢字候補が絞り込まれない場合には、更に、図１５に示すように、右中段の部品入力欄１７３Ｅに漢字部品“十”に相当する“４”を入力して決定キー１６Ｅを操作することで、“１４７０４”の四隅漢字コードを持った漢字“娶”が検索され、それが漢字候補として候補エリア１７５に表示されると共に、漢字エリア１７２に拡大表示される。
【００７０】
この場合、反転カーソル１７７はその漢字“娶”を指定しているので、ここで決定キー１６Ｅを操作すれば、その漢字“娶”が決定文字エリア１７４に入力され、更に決定キー１６Ｅを操作して見出語の一覧を表示部１７に表示し、そこでユーザ所望の見出語を選択して決定キー１６Ｅを操作すれば、図１６に示すように、その指定の見出語の説明情報が表示部１７に説明情報画面１７８として全画面表示されることとなる。
【００７１】
なお、上記説明では、左上、右上、左下、右下の部品入力欄１７３Ａ〜１７３Ｄの順番で部品番号を入力したが、勿論、その入力の順番はこの順に限定されず、任意である。
【００７２】
例えば、四隅部品漢字検索処理の初期画面として図１（Ｂ）に示すような漢字入力画面１７１が表示部１７に表示されるが、ここで入力部１６の下方向のカーソルキー１６Ｄの操作により、図１７に示すように、カーソル１７６を左下の部品入力欄１７３Ｃに移動させることができる。ここで、例えば、この左下の部品入力欄１７３Ｃに漢字部品“十”に相当する“４”を入力して決定キー１６Ｅを操作すると、図１８に示すように、“？？４？？”の四隅漢字コードを持った漢字“享”，“交”，“妾”，…が漢字候補として候補エリア１７５に一覧表示され、そのうちの先頭の漢字“享”が漢字エリア１７２に拡大表示されることとなる。
【００７３】
そして、戻るキー１６Ｆ、上方向のカーソルキー１６Ｄ、右方向のカーソルキー１６Ｄ、漢字部品“丶”に相当する“３”を入力して決定キー１６Ｅを操作すると、図１９に示すように、“？３４？？”の四隅漢字コードを持った漢字“斌”，“恥”，“聹”，…が漢字候補として候補エリア１７５に一覧表示され、そのうちの先頭の漢字“斌”が漢字エリア１７２に拡大表示されることとなる。
【００７４】
そして、カーソルキー１６Ｄの操作により、反転カーソル１７７を移動して、例えば“嫁”を指定して決定キー１６Ｅを操作すれば、図２０に示すように、その漢字“嫁”が決定文字エリア１７４に入力される。
【００７５】
こうして、ユーザ所望の漢字を表示した後、入力部１６の決定キー１６Ｅを操作すれば、その漢字が検索語として、メモリ１２の辞書データメモリ１２ｂにおける中日辞書の検索が行われて、図２１に示すように見出語の一覧が表示部１７に見出語一覧画面１７９として表示される。そして、ユーザ所望の見出語を選択して決定キー１６Ｅを操作すれば、図２２に示すように、その指定の見出語の説明情報が表示部１７に説明情報画面１７８として全画面表示されることとなる。
【００７６】
［第２実施形態］
上記第１実施形態では、部品入力欄１７３Ａ〜１７３Ｅに、入力された部品番号を数字として表示している。
【００７７】
本第２実施形態は、部品番号の数字の代わりに、漢字部品を表示するものである。
【００７８】
例えば、四隅部品漢字検索処理の初期画面として図１（Ｂ）に示すような漢字入力画面１７１が表示部１７に表示されるが、ここで入力部１６の下方向のカーソルキー１６Ｄの操作により、カーソル１７６を左下の部品入力欄１７３Ｃに移動させた後、例えば、この左下の部品入力欄１７３Ｃに漢字部品“十”に相当する“４”を入力すると、この左下の部品入力欄１７３Ｃには、上記第１実施形態では図１８に示すように“４”が表示されたのに対して、本実施形態では、図２３に示すように、“十”が表示される。そして、決定キー１６Ｅが操作されれば、その部品番号“４”に従って、“？？４？？”の四隅漢字コードを持った漢字“享”，“交”，“妾”，…が漢字候補として候補エリア１７５に一覧表示され、そのうちの先頭の漢字“享”が漢字エリア１７２に拡大表示される。
【００７９】
更に、戻るキー１６Ｆ、上方向のカーソルキー１６Ｄ、右方向のカーソルキー１６Ｄ、漢字部品“丶”に相当する“３”を入力して決定キー１６Ｅを操作すれば、図２４に示すように、右上の部品入力欄１７３Ｂには“丶”が表示されると共に“？３４？？”の四隅漢字コードを持った漢字“斌”，“恥”，“聹”，…が漢字候補として候補エリア１７５に一覧表示され、そのうちの先頭の漢字“斌”が漢字エリア１７２に拡大表示されることとなる。
【００８０】
このような動作は、上記第１実施形態における上記ステップＳ１４０５の処理において、何れかの数字キーが操作された場合にカーソル１７６を表示している部品入力欄に入力表示するものとして、当該操作された数字キーの数字の代わりに、対応する漢字部品を表示するものとすれば良い。勿論、メモリ１２のワークエリア１２ｅ等には、入力された部品番号が保存されるものである。
【００８１】
［第３実施形態］
上記第１及び第２実施形態は、図３（Ａ）に示すように、入力部１６のキーボードパネルにおける文字入力キー１６Ａのうちの１０個の数字キー“１”〜“０”それぞれに１つ又は２つの漢字部品が割り当てられている。
【００８２】
しかしながら、本発明はそれに限定されるものではなく、例えば図３（Ｂ）に示すように、文字入力キー１６Ａのうちの５個の数字キー“１”〜“５”それぞれに１つの漢字部品を割り当てるようにしても良い。即ち、“１”には漢字部品“｜”が、“２”には漢字部品“―”が、“３”には漢字部品“ノ”が、“４”には漢字部品“丶”が、“５”には漢字部品“乙”が、それぞれ割り当てられている。勿論この場合、メモリ１２の四隅漢字データベース１２ｄにおいては、その５つの部品番号の組み合わせで成る四隅漢字コードに対応させて漢字が登録されていることは言うまでもない。
【００８３】
以上、実施形態に基づいて本発明を説明したが、本願発明はそれに限定されるものではなく、実施段階ではその要旨を逸脱しない範囲で種々に変形することが可能である。さらに、上記実施形態には種々の段階の発明が含まれており、開示される複数の構成要件における適宜な組み合わせにより種々の発明が抽出され得る。例えば、上記実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８４】
【図１】図１（Ａ）は本発明の第１実施形態に係る漢字表示装置を適用した携帯機器（電子辞書）の電子回路の構成を示すブロック図であり、図１（Ｂ）は漢字入力画面を示す図である。
【図２】図２はメモリに構成された四隅漢字データベースの内容を示す図である。
【図３】図３（Ａ）は第１実施形態における携帯機器（電子辞書）の入力部のキー配列を示す平面図であり、図３（Ｂ）は本発明の第３実施形態における携帯機器（電子辞書）の入力部のキー配列を示す平面図である。
【図４】図４（Ａ）は本発明の漢字表示制御プログラムの第１実施形態に係る辞書制御プログラムにおける中日辞書検索処理を説明するためのフローチャートを示す図であり、図４（Ｂ）は、上記辞書制御プログラムにおける漢字検索処理を説明するためのフローチャートを示す図である。
【図５】図５は、辞書制御プログラムにおける四隅部品漢字検索処理を説明するためのフローチャートを示す図である。
【図６】図６は、図１（Ａ）の状態において左上の部品入力欄にのみ漢字部品“亠”に相当する“０”を入力して決定キーを操作した場合の漢字入力画面を示す図である。
【図７】図７は、図６の状態において戻るキーと右方向のカーソルキーを操作した場合の漢字入力画面を示す図である。
【図８】図８は、図７の状態において更に右上の部品入力欄に漢字部品“─”に相当する“１”を入力して決定キーを操作した場合の漢字入力画面を示す図である。
【図９】図９は、図８の状態から更に左下の部品入力欄にカーソルを移動して、漢字部品“口”に相当する“６”を入力して決定キーを操作した場合の漢字入力画面を示す図である。
【図１０】図１０は、図９の状態から更に右下の部品入力欄にカーソルを移動して、漢字部品“口”に相当する“６”を入力して決定キーを操作した場合の漢字入力画面を示す図である。
【図１１】図１１は、図１０の状態からカーソルキーの操作により反転カーソルを移動した場合の漢字入力画面を示す図である。
【図１２】図１２は、図１１の状態において決定キーを操作した場合の漢字入力画面を示す図である。
【図１３】図１３は、図１２の状態で決定キーを操作して見出語の一覧を表示し、ユーザ所望の見出語を選択して決定キーを操作した場合に表示される説明情報画面を示す図である。
【図１４】図１４は、左上の部品入力欄に漢字部品“─”に相当する“１”を、右上の部品入力欄に漢字部品“「”及び“」”に相当する“７”を、左下の部品入力欄に漢字部品“十”に相当する“４”を、右下の部品入力欄に漢字部品“亠”に相当する“０”を、それぞれ入力して決定キーを操作した場合の漢字入力画面を示す図である。
【図１５】図１５は、図１４の状態から更に右中段の部品入力欄にカーソルを移動して、漢字部品“十”に相当する“４”を入力して決定キーを操作した場合の漢字入力画面を示す図である。
【図１６】図１６は、図１５の状態で決定キーを操作して見出語の一覧を表示し、ユーザ所望の見出語を選択して決定キーを操作した場合に表示される説明情報画面を示す図である。
【図１７】図１７は、図１（Ｂ）の状態から下方向のカーソルキーの操作によりカーソルを左下の部品入力欄に移動させた場合の漢字入力画面を示す図である。
【図１８】図１８は、図１７の状態において左下の部品入力欄にのみ漢字部品“十”に相当する“４”を入力して決定キーを操作した場合の漢字入力画面を示す図である。
【図１９】図１９は、図１８の状態から更に右上の部品入力欄にカーソルを移動して、漢字部品“丶”に相当する“３”を入力して決定キーを操作した場合の漢字入力画面を示す図である。
【図２０】図２０は、図１９の状態からカーソルキーの操作により反転カーソルを移動して“嫁”を指定して決定キーを操作した場合の漢字入力画面を示す図である。
【図２１】図２１は、図２０の状態で決定キーを操作した場合に表示される見出語一覧画面を示す図である。
【図２２】図２２は、図２１の状態でユーザ所望の見出語を選択して決定キーを操作した場合に表示される説明情報画面を示す図である。
【図２３】図２３は、本発明の第２実施形態において、左下の部品入力欄にのみ漢字部品“十”に相当する“４”を入力して決定キーを操作した場合の漢字入力画面を示す図である。
【図２４】図２４は、図２３の状態から更に右上の部品入力欄にカーソルを移動して、漢字部品“丶”に相当する“３”を入力して決定キーを操作した場合の漢字入力画面を示す図である。
【符号の説明】
【００８５】
１０…携帯機器（電子辞書）
１１…ＣＰＵ
１２…メモリ
１２ａ…辞書制御プログラム
１２ｂ…辞書データメモリ
１２ｃ…検索語データメモリ
１２ｄ…四隅漢字データベース
１２ｅ…ワークエリア
１３…外部記憶媒体
１４…記憶媒体読取部
１５…通信部
１６…入力部
１６Ａ…文字入力キー
１６Ｂ…辞書選択キー
１６Ｃ…機能キー
１６Ｄ…カーソルキー
１６Ｅ…決定キー
１６Ｆ…戻るキー
１７…表示部
１７１…漢字入力画面
１７２…漢字エリア
１７３Ａ〜１７３Ｅ…部品入力欄
１７４…決定文字エリア
１７５…候補エリア
１７６…カーソル
１７７…反転カーソル
１７８…説明情報画面
１７９…見出語一覧画面
【図１】
2007272711.tif 000003
【図２】
2007272711.tif 000004
【図３】
2007272711.tif 000005
【図４】
2007272711.tif 000006
【図５】
2007272711.tif 000007
【図６】
2007272711.tif 000008
【図７】
2007272711.tif 000009
【図８】
2007272711.tif 000010
【図９】
2007272711.tif 000011
【図１０】
2007272711.tif 000012
【図１１】
2007272711.tif 000013
【図１２】
2007272711.tif 000014
【図１３】
2007272711.tif 000015
【図１４】
2007272711.tif 000016
【図１５】
2007272711.tif 000017
【図１６】
2007272711.tif 000018
【図１７】
2007272711.tif 000019
【図１８】
2007272711.tif 000020
【図１９】
2007272711.tif 000021
【図２０】
2007272711.tif 000022
【図２１】
2007272711.tif 000023
【図２２】
2007272711.tif 000024
【図２３】
2007272711.tif 000025
【図２４】
2007272711.tif 000026